(57)【特許請求の範囲】
【請求項１】
カメラ付子機と、前記カメラ付子機と有線で接続されるモニタ付親機と、前記モニタ付親機と無線で接続されるモニタ付副親機とを有し、前記カメラ付子機で撮像した映像をモニタ付親機及び前記モニタ付親機を介して前記モニタ付副親機で出画し、カメラ付子機とモニタ付親機の間、カメラ付子機とモニタ付副親機の間、モニタ付親機とモニタ付副親機の間の夫々で双方向通話を実施可能なテレビインターホン装置において、
前記モニタ付副親機は、無線伝送された映像のフレームレート情報を基に回線品質を判断し、回線品質が低下したら受話音声を制御する受話音声制御手段を備え、
前記受話音声制御手段は、回線品質の低下により映像のフレームレートが所定値以下に低下したら、受話音声を拡声する拡声アンプ回路をミュート操作することを特徴とするテレビインターホン装置。
【請求項２】
前記受話音声制御手段は、回線品質の低下により映像のフレームレートが所定値以下に低下した状態が所定時間継続したら、受話音声を拡声する拡声アンプ回路の電源を切断する制御を行うことを特徴とする請求項１記載のテレビインターホン装置。
【請求項３】
前記モニタ付副親機は、無線伝送された映像のフレームレートを基に回線品質の低下したことを検出した場合に、前記モニタ付親機に対してモニタ付親機の受話音声を拡声する拡声アンプ回路の出力を下げる制御信号を送信することを特徴とする請求項１又は２記載のテレビインターホン装置。
【請求項４】
前記受話音声制御手段は、回線品質の低下に伴い映像のフレームレートが低下して所定値以下になったら、通話品質の低下を報知する報知制御を行うことを特徴とする請求項１乃至３の何れかに記載のテレビインターホン装置。
【発明の詳細な説明】
【技術分野】
【０００１】
本発明は、テレビインターホン装置に関し、特に無線式の副親機を備えたテレビインターホン装置に関する。
【背景技術】
【０００２】
カメラ付子機とモニタ付親機を設けて、来訪者の映像を居住者が見ながら通話できるテレビインターホン装置が普及している。このようなテレビインターホン装置において、無線式のモニタ付副親機を備え、カメラ付子機とモニタ付親機の間に加えて、カメラ付子機とモニタ付副親機の間、更にはモニタ付親機とモニタ付副親機の間でも通話を可能とし、利便性を高めたものがある。そのようなテレビインターホン装置として、例えば特許文献１に記載されたものがあり、この特許文献１ではモニタ付副親機にもカメラを備えてモニタ付親機に出画可能として防犯性も合わせて高めている。
また、無線式のインターホン装置において、無線式子機（副親機）が携帯されて移動しても最良の状態で通信できるように電界強度を検出して通信制御するよう構成したものがある（例えば、特許文献２参照）。
【０００３】
【特許文献１】特開２００５−１０９８３４号公報
【特許文献２】特開２００４−２８２５９６号公報
【発明の開示】
【発明が解決しようとする課題】
【０００４】
無線式のテレビインターホン装置の場合、電波の強度が低下すると映像及び音声の品質が低下することになるが、特に音声の品質が低下すると大きなノイズが発生して使用者に不快感を与えてしまうため、上記電波の電界強度を検出してその値から通信の品質制御を行う方法が有効な制御方法として採用されている。しかし、電界強度を検出して制御する構成は、検出した電界強度情報をＣＰＵ等へ入力して演算処理を行わなければならないため、ＣＰＵへ入力されるパラメータが増えるばかりでなく、受信機周辺回路も複雑になる問題点があった。
【０００５】
そこで、本発明はこのような問題点に鑑み、電波の電界強度値を用いずに簡易な構成で通話音声の品質制御を行うことを目的とする。
【課題を解決するための手段】
【０００６】
上記課題を解決する為に、請求項１に記載の発明は、カメラ付子機と、カメラ付子機と有線で接続されるモニタ付親機と、モニタ付親機と無線で接続されるモニタ付副親機とを有し、カメラ付子機で撮像した映像をモニタ付親機及びモニタ付親機を介してモニタ付副親機で出画し、カメラ付子機とモニタ付親機の間、カメラ付子機とモニタ付副親機の間、モニタ付親機とモニタ付副親機の間の夫々で双方向通話を実施可能なテレビインターホン装置において、モニタ付副親機は、無線伝送された映像のフレームレート情報を基に回線品質を判断し、回線品質が低下したら受話音声を制御する受話音声制御手段を備え、
受話音声制御手段は、回線品質の低下により映像のフレームレートが所定値以下に低下したら、受話音声を拡声する拡声アンプ回路をミュート操作することを特徴とする
。
この構成により、映像信号のフレームレートを基に電波状態（回線品質）を判断するので、デジタル映像信号を無線伝送する場合、複雑な演算を行うことなく簡易な構成で受信状態の判断が可能となるし、受話音声を制御するだけなので簡易な構成で実用的な通話品質の制御が可能となる。
【０００７】
そして、回線品質が低下したら、モニタ付副親機の音声出力が小さく或いは無くなるので大きなノイズ音が出力されるようなことがなく使用者に不快感を与えることがない。
【０００８】
請求項２の発明は、請求項１に記載の発明において、受話音声制御手段は、回線品質の低下により映像のフレームレートが所定値以下に低下した状態が所定時間継続したら、受話音声を拡声する拡声アンプ回路の電源を切断する制御を行うことを特徴とする。
この構成により、回線品質が低下した状態が長く続く場合は、不要な電力をカットでき、モニタ付副親機のバッテリーを不要に消耗させることがない。
【０００９】
請求項３の発明は、請求項１又は２に記載の発明において、モニタ付副親機は、無線伝送された映像のフレームレートを基に回線品質の低下したことを検出した場合に、モニタ付親機に対してモニタ付親機の受話音声を拡声する拡声アンプ回路の出力を下げる制御信号を送信することを特徴とする。
この構成により、モニタ付親機とモニタ付副親機とが通話している最中に回線品質が低下しても、モニタ付親機で大きなノイズが発生しないように制御することが可能となる。
【００１０】
請求項４の発明は、請求項１乃至３の何れかに記載の発明において、受話音声制御手段は、回線品質の低下に伴い映像のフレームレートが低下して所定値以下になったら、通話品質の低下を報知する報知制御を行うことを特徴とする。
この構成により、使用者は受話音声の劣化（ミュート動作）や表示映像の劣化の原因が電波状態の悪化が原因であることを容易に知ることができる。
【発明の効果】
【００１１】
本発明によれば、フレームレートを基に電波状態を判断するので、複雑な演算を行うことなく判断でき、簡易な構成で且つ実用的に通話品質の制御が可能となる。
また、通話品質が低下したら、モニタ付副親機の音声の出力をミュートすることで、大きなノイズ音が出力されるようなことがなくなり、使用者に不快感を与えるようなことがない。
【発明を実施するための最良の形態】
【００１２】
以下、本発明を具体化した実施の形態を、図面に基づいて詳細に説明する。図１は本発明に係るテレビインターホン装置の基本構成のブロック図を示し、１は玄関等に設置されるカメラ付子機、２は居室内に設置されるモニタ付親機、３は主に居室内で使用されるモニタ付副親機であり、カメラ付子機１とモニタ付親機２とは有線で接続され、モニタ付親機２とモニタ付副親機３とは無線で接続されている。
【００１３】
また、図２は図１のテレビインターホン装置の設置例を示し、本発明のテレビインターホン装置は、モニタ付親機２に複数のカメラ付子機１、及び複数のモニタ付副親機３を接続可能に構成され、設置する住戸の状況に応じてカメラ付子機１及びモニタ付副親機３の設置数を容易に変更できるよう構成されている。
【００１４】
カメラ付子機１は、来訪者を撮像するための子機カメラ１１、映像変調回路１２、マイク、スピーカ、音声増幅回路等を有する子機通話部１３、音声信号を制御する音声回路１４、居住者を呼び出すための呼出ボタン１５、呼出操作を検出して呼出信号を送出する子機呼出検出回路１６、映像信号と音声信号を同時に送受するための子機多重分離回路１７を備えている。
【００１５】
モニタ付親機２は、カメラ付子機からの呼出信号を検出する親機呼出検出回路２１、映像情報や設定情報を記憶するメモリ２２、音声信号を制御する音声回路２３、音声信号のデジタル／アナログ変換を行う音声コーデック２４、映像復調回路２５、映像信号をデジタル信号に変換するＡ／Ｄ変換回路２６、映像信号と音声信号を同時に送受するための親機多重分離回路２７、映像信号を圧縮或いは伸張する映像圧縮伸張器２８、映像表示インターフェイス（映像表示Ｉ／Ｆ）２９、液晶モニタから成る映像表示部３０、マイク、スピーカ、音声増幅回路等を有する親機通話部３１、モニタ付親機を制御する親機ＣＰＵ３２、アンテナ３４を備えてモニタ付副親機３と信号を送受する無線送受信機３３、呼び出しや各種操作を行うための親機操作部３５を備えている。
【００１６】
モニタ付副親機３は、副親機カメラ４１、副親機カメラ４１の撮像映像信号をデジタル変換するＡ／Ｄ変換回路４２、映像信号を圧縮或いは伸張する映像圧縮伸張器４３、映像表示インターフェイス（映像表示Ｉ／Ｆ）４４、液晶モニタから成る映像表示部４５、送話／受話を切り換える通話切替回路４６、音声信号のデジタル／アナログ変換を行う音声コーデック４７、モニタ付副親機３を制御する副親機ＣＰＵ４８、アンテナ５０を備えてモニタ付親機２と信号を送受する無線送受信機４９、呼び出し等各種操作を行うための副親機操作部５１、音声出力を小さく或いは停止するミュート回路５２、マイク及びその増幅回路を備えたマイクアンプ回路５３、スピーカ及びその増幅回路を備えた拡声アンプ回路５４、拡声アンプ回路５４の電源をオン／オフ制御する拡声アンプ電源制御回路５５を備えている。
【００１７】
このように構成されたテレビインターホン装置において、以下通話動作を説明する。カメラ付子機１の呼出ボタン１５が押下されると、子機呼出検出回路１６から呼出信号が送出され、子機多重分離回路１７を介してモニタ付親機２に有線伝送される。モニタ付親機２は、親機多重分離回路２７を介して親機呼出検出回路２１で呼出信号を検出し、呼出信号を受けて親機ＣＰＵ３２の制御により親機通話部３１から呼出音が報音される。
【００１８】
また、親機ＣＰＵ３２は呼出信号を受けて、無線送受信機３３を介してモニタ付副親機３に呼出信号を無線伝送する。モニタ付副親機３では無線送受信機４９で呼出信号を受信して、副親機ＣＰＵ４８の制御により拡声アンプ回路５４のスピーカから呼出音を報音する。また、呼出操作に合わせて子機カメラ１１が起動し、撮像された映像信号が映像変調回路１２、子機多重分離回路１７を介してモニタ付親機２に伝送される。モニタ付親機２は、伝送されてきた映像信号を親機多重分離回路２７、映像復調回路２５、Ａ／Ｄ変換回路２６、映像圧縮伸張回路２８、映像表示Ｉ／Ｆ２９を介して映像表示部３０にて出画する。
【００１９】
同時にこの映像信号は、親機ＣＰＵ３２の制御により映像圧縮伸張回路２８で圧縮された信号が、無線送受信機３３を介してモニタ付副親機３に伝送される。モニタ付副親機３では、無線送受信機４９で受信した映像信号は、副親機ＣＰＵ４８の制御で映像圧縮伸張器４３で伸張され、映像表示Ｉ／Ｆ４４を介して映像表示部４５に出画される。
【００２０】
こうして報音された呼出音を受けて、居住者がモニタ付親機２の親機通話部３１によって応答すると、音声回路２３、親機多重分離回路２７を介してカメラ付子機１に伝送され、子機多重分離回路１７、音声回路１４を介して子機通話部１３のスピーカから居住者の音声が報音される。こうして、子機通話部１３、親機通話部３１間で通話路が形成され、居住者は映像を見ながら通話を行うことができる。また、モニタ付副親機３のマイクアンプ回路５３のマイクで応答すると、モニタ付親機２を介して子機通話部１３との間で映像を見ながら通話をおこなうことができる。
【００２１】
また、モニタ付親機２とモニタ付副親機３の間でも通話を実施でき、例えばモニタ付親機２の親機操作部３５の所定の呼出操作で、モニタ付副親機３を呼び出して副親機カメラ４１の撮像映像をモニタ付親機２の映像表示部３０に出画させて通話を実施できる。具体的には、呼出操作を受けて親機ＣＰＵ３２は、無線送受信機３３を介してモニタ付副親機３に呼出信号を送信し、呼出信号を受信したモニタ付副親機３は副親機ＣＰＵ４８の制御で拡声アンプ回路５４より呼出音を報音する。
【００２２】
呼出信号を受けて、副親機ＣＰＵ４８は、更に副親機カメラ４１を起動させて、その撮像映像信号をＡ／Ｄ変換回路４２、映像圧縮伸張器４３、無線送受信機４９を介してモニタ付親機２へ送信する。モニタ付親機２では、この映像信号を無線送受信機３３で受信して、親機ＣＰＵ３２、映像圧縮伸張器２８、映像Ｉ／Ｆ２９を介して映像表示部３０に出画する。
【００２３】
そして、モニタ付副親機３から応答が成されたら、マイクアンプ回路５３、通話切換回路４６を介して音声コーデック４７で応答音声がデジタル信号に変換されて無線送受信機４９によりモニタ付親機２に送信される。この信号を受信したモニタ付親機２は、無線送受信機３３、音声コーデック２４、音声回路２３を介して親機通話部３１に応答信号を送信し、親機通話部３１のスピーカから音声が報音される。こうして、モニタ付親機２とモニタ付副親機３の間で通話路が形成される。
また、カメラ付子機１とモニタ付親機２が通話中に、モニタ付親機２とモニタ付副親機３の間で通話が可能であり、この場合モニタ付副親機３の映像表示部４５には子機カメラ１１の撮像映像が出画される。
【００２４】
次に、モニタ付親機２とモニタ付副親機３の間の電波状態（回線品質）が低下した場合の動作を説明する。上述するようにカメラ付子機１からの呼び出しを受けてモニタ付副親機３でも子機カメラ１１の撮像映像が出画される。そして、モニタ付副親機３で応答する際、モニタ付親機２からデジタル伝送される映像信号のフレームレートが受話音声制御手段としての副親機ＣＰＵ４８により監視され、副親機ＣＰＵ４８は次のように制御する。
【００２５】
副親機ＣＰＵ４８は、映像信号のフレームレートを監視してフレームレートが予め設定されたある閾値以下になったら、ミュート回路５２を動作させて拡声アンプ回路５４へ入力する音声信号のレベルを低くする。同時に、モニタ付親機２に対して、親機通話部３１の拡声アンプ（図示せず）の出力を下げるための制御信号を送信する。その結果、拡声アンプ回路５４のスピーカから出力される音量は小さくなると同時に、モニタ付親機２の親機通話部３１が能動である場合は、親機通話部３１から出力される音量も小さくなる。尚、ミュート回路５２を動作させて音量を小さくしているが、ミュート操作により拡声アンプ回路５４の出力を全く無くしても良い。
【００２６】
更に、副親機ＣＰＵ４８はフレームレートの監視を続け、フレームレートがある閾値以下となる状態が所定時間続いたら、拡声アンプ電源制御回路５５を動作させて拡声アンプ回路５４の電源を切断する。尚、回線品質が回復してフレームレートが所定値を越えたら、拡声アンプ回路５４の電源が切断されている場合は電源供給を復旧すると共にミュートを解除するし、ミュート状態にある場合はミュートを解除するよう副親機ＣＰＵ４８は制御動作する。
【００２７】
このように、映像信号のフレームレートを基に電波状態（回線品質）を判断するので、デジタル映像信号を無線伝送する場合、複雑な演算を行うことなく簡易な構成で受信状態の判断が可能となるし、受話音声を制御するだけなので簡易な構成で実用的な通話品質の制御が可能となる。
また、回線品質が低下した場合、モニタ付副親機の音声出力が小さく或いは無くなるので、大きなノイズ音が出力されるようなことがなく使用者に不快感を与えることがないし、回線品質の低下が長時間継続される場合は拡声アンプ回路の電力をカットするので、モニタ付副親機の消費電力を節約することができる。特にモニタ付副親機がバッテリ駆動の場合、バッテリを不要に消耗させることがない。
更に、回線品質が低下したらモニタ付副親機がモニタ付親機のスピーカ音量を下げる制御を行うので、親機通話部が能動の状態にありモニタ付副親機と通話状態にあってもモニタ付親機で大きなノイズが発生することもない。
【００２８】
尚、上記実施形態では、フレームレートが予め設定された値以下になったら、ミュート回路５２を動作させて音声出力を予告無く小さくしているが、ブザー音等の警告音を鳴らしてからミュート操作しても良く、使用者は受話音声のミュート動作の原因が回線品質の劣化によるものであることを容易に知ることができる。
【図面の簡単な説明】
【００２９】
【図１】本発明に係るテレビインターホン装置の実施形態の一例を示すブロック図である。
【図２】図１のテレビインターホン装置により構成したシステムの一例を示す構成図である。
【符号の説明】
【００３０】
１・・カメラ付子機、２・・モニタ付親機、３・・モニタ付副親機、３１・・親機通話部、３２・・親機ＣＰＵ、４８・・副親機ＣＰＵ（受話音声制御手段）、５２・・ミュート回路、５４・・拡声アンプ回路、５５・・拡声アンプ電源制御回路。
【図１】
0004791808.tif 000002
【図２】
0004791808.tif 000003